(57)【特許請求の範囲】
【請求項１】
少量の物質を保存するためのストローであって、
前記ストローは、ゲル粉体とブレード状部材または鞘部が含まれるストッパーをその一端の内側に備える管の部分を備え、
前記ゲル粉体の一部を、分散された非吸収性材料によって置き換えることにより、前記ストッパーが前記ゲル粉体および前記分散された非吸収性材料の混合物を備え、前記混合物は、前記ブレード状部材または鞘部によって前記ストロー内で固定され、液体と接触すると不浸透性物質に変化して前記ストローを密封し、
前記少量の物質は少量の生物学的な物質であり、
前記ストッパーは三つの部材から構成され、前記ストロー内に収容される液体と直接接触しない外側部分と、前記ストロー内に収容される液体と接触する内側部分と、これらの間に設けられ前記ゲル粉体を含む中間部分とを備え、
前記外側部分は繊維状物質のブレード状部材（braid）を備え、
前記内側部分は鞘部を構成するフィラメントによって覆われた熱可塑性材料製の芯部を備え、
前記中間部分はその一部を分散された非吸収性材料によって置き換えたゲル粉体を備えることを特徴とする、
ストロー。
【請求項２】
前記熱可塑性材料製の芯部は穴を有することを特徴とする、請求項１に記載のストロー。
【請求項３】
前記熱可塑性材料製の芯部は中央部にブレード状部材を有することを特徴とする、請求項１に記載のストロー。
【請求項４】
少量の物質を保存するためのストローであって、
前記ストローは、ゲル粉体とブレード状部材または鞘部が含まれるストッパーをその一端の内側に備える管の部分を備え、
前記ゲル粉体の一部を、分散された非吸収性材料によって置き換えることにより、前記ストッパーが前記ゲル粉体および前記分散された非吸収性材料の混合物を備え、前記混合物は、前記ブレード状部材または鞘部によって前記ストロー内で固定され、液体と接触すると不浸透性物質に変化して前記ストローを密封し、
前記少量の物質は少量の生物学的な物質であり、
前記ストッパーは、一体的に構成されたストッパーであり、熱可塑性材料製の芯部を備え、上記芯部は、その一部を分散された非吸収性材料によって置き換えたゲル粉体が含浸された鞘部を構成するフィラメントで覆われることを特徴とする、
ストロー。
【請求項５】
少量の物質を保存するためのストローであって、
前記ストローは、ゲル粉体とブレード状部材または鞘部が含まれるストッパーをその一端の内側に備える管の部分を備え、
前記ゲル粉体の一部を、分散された非吸収性材料によって置き換えることにより、前記ストッパーが前記ゲル粉体および前記分散された非吸収性材料の混合物を備え、前記混合物は、前記ブレード状部材または鞘部によって前記ストロー内で固定され、液体と接触すると不浸透性物質に変化して前記ストローを密封し、
前記少量の物質は少量の生物学的な物質であり、
前記ストッパーは、鞘部を構成するフィラメントで覆われた熱可塑性材料製の芯部を備えるとともに、その一部を分散された非吸収性材料によって置き換えたゲル粉体が含浸されたブレード状部材を中央部に有する、一体的に構成されたストッパーであることを特徴とする、
ストロー。
【請求項６】
前記ゲル粉体は、アルギナート類およびポリビニルアルコールからなる群から選択される、請求項１、４、または５のいずれかに記載のストロー。
【請求項７】
前記非吸収性材料は、ガラス、ポリ塩化ビニル、珪藻類およびパーライトからなる群から選択される、請求項１、４、または５のいずれかに記載のストロー。
【請求項８】
前記非吸収性材料は、球の形状である、請求項１、４、または５のいずれかに記載のストロー。
【請求項９】
前記球の平均直径は、約５０μｍ〜約３００μｍである、請求項１、４、または５のいずれかに記載のストロー。
【請求項１０】
前記分散された非吸収性材料に置き換えられる前記ゲル粉体の分量は、約１０％〜約５０％である、請求項１、４、または５のいずれかに記載のストロー。
【発明の詳細な説明】
【０００１】
【発明の属する技術分野】
この発明は、物質を保存するためのストローに関連し、より詳細には、特定の生物学的な液体を少量保存するためのストローに関連する。
【０００２】
【従来の技術】
「フレンチストロー」として知られるこの種のストローは、フランス特許第９９５，８７８号に初めて開示された。
【０００３】
上記特許に従って製造され、現在まで使用されてきたストローは、三つの部材からなるストッパー（以下、「三部材構成のストッパー」と称す）を有するものであった。このストッパーは、繊維状物質からなる二つの栓と、これらの間に設けられ、液体と接触すると管の壁に付着する不浸透性のゲル状物またはペースト状物に変わって、密封すなわちシールされたストッパーを形成する粉体とから構成される。
【０００４】
【発明が解決しようとする課題】
本出願人によって開発され販売されている、上記三部材構成のストッパーを備えるストローは、まったく満足のいくものである。しかし、ストローに収容される液体が、約７％程度とごく少量ではあるが、多少吸収されることが見受けられた。
【０００５】
上記問題の一つの解決策として、上記三部材構成のストッパーを、金属製または硬質プラスチック材料製のボールと取り替えることが提案された。この解決策によれば、ストローに収容される液体が吸収されることはなくなった。しかし、液体に対する密封性をストッパーが提供しえないという容認しがたい新たな問題が生じたため、このような解決策は満足のいくものではなかった。
【０００６】
フランス特許第ＦＲ−Ａ−２，７５３，３６７号は、二つの栓、すなわち外側の栓と内側の栓との間にヒドロゲル粉体を備える、三部材構成のストッパーを含むストローを提案する。このストローは、外側の栓の長さが、内側の栓の長さの少なくとも二倍であることを特徴とする。しかし、上記特許によっては、ストローに収容される液体の吸収は、標準的な通常の三部材構成のストッパーが嵌められたストローでみられた液体の吸収と比較した場合、非常に僅かしか減少され得ない。
【０００７】
本発明の主たる目的は、ストローに収容された液体をごく少量しか吸収しないストッパーが嵌められたストローを提供することにある。より正確にいえば、本発明の一目的は、ストローに収容される液体の最大約４％程度しか吸収しないストッパーが嵌められたストローを提供することにある。
本発明の他の目的および他の効果は、本明細書を通して明らかになるであろう。
【０００８】
【課題を解決するための手段】
本発明は、上記および他の目的に対応するものであり、その一態様は、少量の物質、例えば生物学的な物質を保存するためのストローであって、ゲル粉体が含まれるストッパーをその一端の内側に備える管の部分を備え、上記ゲル粉体の一部を、分散された非吸収性材料によって置き換えることにより、ストッパーが上記ゲル粉体および上記分散された非吸収性材料の混合物を備えるものである。
【０００９】
【発明の実施の形態】
＝＝発明の開示＝＝
本発明の一態様によるストローは、少量の物質、例えば生物学的な物質を保存するためのストローである。このストローは、ゲル粉体が含まれるストッパーをその一端の内側に備える管の部分を備える。そして、上記ゲル粉体の一部を、分散された非吸収性材料によって置き換えることにより、ストッパーが上記ゲル粉体および上記分散された非吸収性材料の混合物を備える。
【００１０】
上記ゲル粉体は、液体との接触により、管の壁に付着する不浸透性のゲル状物またはペースト状物に変化して、密封すなわちシールされたストッパーを形成する。
ゲル粉体は、例えば、アルギナート類またはポリビニルアルコールであってもよい。
本発明にしたがって、ゲル粉体の一部は、分散された非吸収性材料によって置き換えられる。
【００１１】
非吸収性材料は、例えば、ガラス、ポリ塩化ビニル、珪藻類またはパーライト等であってもよい。非吸収性材料は、分散されていなければならない。
非吸収性材料の粒径は、ゲル粉体の粒径に近くなければならない。
ゲル粉体の粒径は、その性質上、当業者であれば容易に決定することができる。
【００１２】
非吸収性材料は、例えば、球の形状を有する。
上記球の平均直径は、例えば、約５０μｍ〜約３００μｍであってよい。
また、非吸収性材料は、同様に、小さなフレーク状もしくは薄片状に、または小さな破片状とすることができる。
【００１３】
本発明により、ゲル粉体の約１０％〜約５０％を、分散された非吸収性材料に置き換える。
【００１４】
本発明によれば、ストローには、三部材構成のストッパーまたは一体的に構成されたストッパーを嵌めることができる。
三つの部材から構成されるストッパーは、ストロー内に収容される液体と直接接触しない外側部分と、ストロー内に収容される液体と接触する内側部分と、これらの間に設けられ上記ゲル粉体を含む中間部分とを備える。
三つの部材は、実質的に同じ長さであってもよいし、互いに異なる長さであってもよい。
【００１５】
本発明の第一の実施形態によれば、ストローには、標準的な三部材構成のストッパーが嵌められる。ストッパーは、二つの繊維状物質の栓と、これらの間に設けられたゲル粉体とを備える。本発明にしたがって、ストッパーの上記ゲル粉体の一部は、分散された非吸収性材料によって置き換えられる。
この第一の実施形態において、外側部分は標準的な繊維状物質からなり、内側部分も標準的な繊維状物質からなる。
外側部分および内側部分は、ひもを編んだようなブレード状部材（braid）の形状をとることができる。
中間部分は、ゲル粉体および分散された非吸収性材料の混合物を備える。
【００１６】
第一の実施形態において、少量の物質、例えば生物学的な物質を保存するためのストローは、ストッパーをその一端の内側に備える管の部分を備え、上記ストッパーは、外側部分と内側部分とを備え、これらの間に、ゲル粉体を含む中間部分を備える。ここで、中間部分が、ゲル粉体および非吸収性材料の混合物を備えることを特徴とする。
【００１７】
本発明の第二の実施形態において、ストローのストッパーは、三部材構成のストッパーであり、鞘部を構成するフィラメントによって覆われた熱可塑性材料製の芯部を備える。
上記第二実施形態の第一の態様によれば、三部材構成のストッパーは、繊維状物質のブレード状部材を備える外側部分と、鞘部を構成するフィラメントによって覆われた熱可塑性材料製の芯部を備える内側部分と、本発明にしたがってその一部を分散された非吸収性材料によって置き換えたゲル粉体を備える中間部分とを備える。
【００１８】
すなわち、上記第一および第二の実施形態において、上記中間部分は、ゲル粉体と分散された非吸収性材料との混合物を備える。
【００１９】
上記第二実施形態の第二の態様によれば、三部材構成のストッパーは、繊維状物質のブレード状部材を備える外側部分と、鞘部を構成するフィラメントによって覆われるとともに穴を有する熱可塑性材料製の芯部を備える内側部分と、本発明にしたがってその一部を分散された非吸収性材料によって置き換えたゲル粉体を備える中間部分とを備える。
ここでも、上記中間部分は、ゲル粉体と分散された非吸収性材料との混合物を備える。
【００２０】
上記第二実施形態の第三の態様によれば、三部材構成のストッパーは、繊維状物質のブレード状部材を備える外側部分と、鞘部を構成するフィラメントによって覆われるとともに中央部にブレード状部材を有する熱可塑性材料製の芯部を備える内側部分と、本発明にしたがってその一部を分散された非吸収性材料によって置き換えたゲル粉体を備える中間部分とを備える。
したがって、上記中間部分は、ゲル粉体と分散された非吸収性材料との混合物を備える。
【００２１】
本発明の第三の実施形態によれば、上記ストッパーは一体的に構成されたストッパーである。
上記第三実施形態の第一の態様によれば、一体的に構成されたストッパーは、熱可塑性材料製の芯部を備え、上記芯部は、本発明にしたがってその一部を分散された非吸収性材料によって置き換えたゲル粉体が含浸された鞘部を構成するフィラメントで覆われる。
【００２２】
上記第三実施形態の第二の態様によれば、一体的に構成されたストッパーは、鞘部を構成するフィラメントで覆われた熱可塑性材料製の芯部を備えるとともに、本発明にしたがってその一部を分散された非吸収性材料によって置き換えたゲル粉体が含浸されたブレード状部材を中央部に有する。
【００２３】
上述したような三部材構成のストッパーの場合、ストッパー全体の長さは、約７ｍｍ〜約１４ｍｍである。
外側部分の長さは、約３ｍｍ〜約１４ｍｍである。
内側部分の長さは、約２ｍｍ〜約５ｍｍである。
中間部分の長さは、約１．５ｍｍ〜約５ｍｍである。
【００２４】
本発明を実施する前にストローのストッパーに組み込むべきゲル粉体の量は、ストッパーの種類に応じて異なり、これは当業者にとって既知である。
【００２５】
いずれにしても、本発明によれば、ゲル粉体の一部を、分散された非吸収性材料によって置き換えなければならない。
【００２６】
分散された非吸収性材料によって置き換えられるゲル粉体の分量は、約１０％〜約５０％であり、ストッパーの種類に応じて異なる。いずれにしても、当業者であれば、密封またはシールを提供するストッパーを備え液体の吸収を低減したストローを得るために、分散された非吸収性材料で置き換えるべきゲル粉体の分量を容易に決定することができる。
【００２７】
本発明によるストローは、良好な密封すなわちシールを提供するとともに、その中に収容される液体をごく僅か、すなわちおよそ４％程度またはそれ以下しか吸収しないものである。
【００２８】
＝＝各実施形態の説明＝＝
＜第一実施形態＞
図１を参照すると、図示のストロー１は、三部材構成のストッパー３がその一端に嵌められた管２の部分を備える。
ストロー１に収容される液体と接触しない、ストッパー３の外側部分３１は、繊維状物質からなる、ひもを編んだようなブレード状部材である。
ストロー１に収容される液体と接触する、ストッパー３の内側部分３３は、繊維状物質からなるブレード状部材である。
ストッパー３の中間部分３２は、ゲル粉体および分散された非吸収性材料の混合物４を含む。
【００２９】
＜第二実施形態の第一態様＞
図２を参照すると、図示のストロー１は、三部材構成のストッパー３がその一端に嵌められた管２の部分を備える。
ストロー１に収容される液体と接触しない、ストッパー３の外側部分３１は、繊維状物質からなるブレード状部材である。
ストロー１に収容される液体と接触する、ストッパー３の内側部分３３は、鞘部６３のような形状のフィラメントで覆われた、熱可塑性材料からなる芯部５３を備える。
ストッパー３の中間部分３２は、ゲル粉体および分散された非吸収性材料の混合物４を含む。
【００３０】
＜第二実施形態の第二態様＞
図３を参照すると、図示のストロー１は、三部材構成のストッパー３がその一端に嵌められた管２の部分を備える。
ストロー１に収容される液体と接触しない、ストッパー３の外側部分３１は、繊維状物質からなるブレード状部材である。
ストロー１に収容される液体と接触する、ストッパー３の内側部分３３は、鞘部６３のような形状のフィラメントで覆われた、熱可塑性材料からなる芯部５３を備える。芯部５３は、穴７３を有する。
ストッパー３の中間部分３２は、ゲル粉体および分散された非吸収性材料の混合物４を含む。
【００３１】
＜第二実施形態の第三態様＞
図４を参照すると、図示のストロー１は、三部材構成のストッパー３がその一端に嵌められた管２の部分を備える。
ストロー１に収容される液体と接触しない、ストッパー３の外側部分３１は、繊維状物質からなるブレード状部材である。
ストロー１に収容される液体と接触する、ストッパー３の内側部分３３は、鞘部６３のような形状のフィラメントで覆われた、熱可塑性材料からなる芯部５３を備える。芯部５３は、中央部分に位置するブレード状部材８３を有する。
ストッパー３の中間部分３２は、ゲル粉体および分散された非吸収性材料の混合物４を含む。
【００３２】
＜第三実施形態の第一態様＞
図５を参照すると、図示のストロー１は、一体的に構成されたストッパー３がその一端に嵌められた管２の部分を備える。
ストッパー３は、鞘部６０を構成するフィラメントで覆われた、熱可塑性材料からなる芯部５０を備える。鞘部６０のフィラメントには、ゲル粉体および分散された非吸収性材料の混合物４が含浸される。
【００３３】
＜第三実施形態の第二態様＞
図６を参照すると、図示のストロー１は、一体的に構成されたストッパー３がその一端に嵌められた管２の部分を備える。
ストッパー３は、鞘部６０を構成するフィラメントで覆われた、熱可塑性材料からなる芯部５０を備える。また、ストッパー３は、ゲル粉体および分散された非吸収性材料の混合物４が含浸された合成フィラメントからなる、中央部分に位置するブレード状部材８０を備える。
【００３４】
【発明の効果】
本発明のストローによれば、例えば、その中に収容される液体の吸収をごく少量に抑えることができるとともに、良好な密封すなわちシールを提供することができる。
【００３５】
以上、いくつかの特定の実施形態をあげて本発明を説明し例示したが、当業者であれば、特許請求の範囲に記載された発明の範囲に含まれる多くの変更例を想定することができるであろう。
【図面の簡単な説明】
【図１】本発明によるストローの第一実施形態の一部を示す図である。
【図２】本発明によるストローの第二実施形態の第一態様の一部を示す図である。
【図３】本発明によるストローの第二実施形態の第二態様の一部を示す図である。
【図４】本発明によるストローの第二実施形態の第三態様の一部を示す図である。
【図５】本発明によるストローの第三実施形態の第一態様の一部を示す図である。
【図６】本発明によるストローの第三実施形態の第二態様の一部を示す図である。
【符号の説明】
１  ストロー
２  管
３  ストッパー
４  混合物
５０，５３  芯部
６０，６３  鞘部
【図１】
0004257070.tif 000002
【図２】
0004257070.tif 000003
【図３】
0004257070.tif 000004
【図４】
0004257070.tif 000005
【図５】
0004257070.tif 000006
【図６】
0004257070.tif 000007